(57)【要約】      （修正有）【課題】強水量でシャワーを使用しても、水の出る方向が予め指定した方向の状態を保つシャワーの本体及びシャワー本体の受け器具を提供する。【解決手段】シャワー本体下部２に溝を設け、またシャワー本体の受け器具４にも溝を設け、３の外径と４の内径が一致することで、シャワー本体は固定され、また、溝を設けることにより、シャワー本体の向きがかわる、又はシャワー本体の回転が防止される。【選択図】図１
0003116134.tif 000002
【実用新案登録請求の範囲】
【請求項１】
シャワーの本体とシャワー受け器具部分に溝を設けて、水量が上がった時にシャワー本体が回転するのを防ぐことを特徴とするシャワー本体とシャワー受け器具。
【考案の詳細な説明】
【技術分野】
【０００１】
本考案は、シャワー本体及びシャワー本体の受け器具に回転防止溝を設けた、シャワー本体及びシャワー本体の受け器具に関するものである。
【背景技術】
【０００２】
シャワーの本体は強水量になると、水圧によってシャワー本体の方向がかわる。或いは回転する状態が生じるものであった。
【考案の開示】
【考案が解決しようとする課題】
【０００３】
強水量でシャワーを使用しても、水の出る方向が予め指定した方向の状態を保つシャワーの本体及びシャワー本体の受け器具。
【課題を解決するための手段】
【０００４】
本考案は、シャワーの本体部分とシャワーの本体の受け器具に溝を設けることにより、シャワー本体の方向がかわる、又は回転が防止されることで問題点を解決している。
【考案の効果】
【０００５】
上述の様に、本考案は強水量時等にシャワーの方向がかわる、或いは回転する状態を防ぐことにより、両手を使用中のシャンプー時等のような場合に、急な水圧変化によってシャワーの本体が急に向きを変えることがない。
【考案を実施するための最良の形態】
【０００６】
シャワーの本体は自由自在に向きを変えられるため、予め自分の希望位置に向きを固定して使用。
【実施例】
【０００７】
以下、添付図面に従って実施例を説明する。図１のシャワー本体下部２に溝（断面図３様の溝）を設け、またシャワー本体の受け器具４（上面図）にも溝を設け、３の外径と４の内径が一致することで、シャワー本体は固定され、また、溝を設けることにより、シャワー本体の向きがかわる、又はシャワー本体の回転が防止される。
【図面の簡単な説明】
【０００８】
【図１】１はシャワー本体、２はシャワー下部の溝を設けた部分、３はシャワー下部の溝を設けた部分の断面、４はシャワー本体を壁面等に固定するための受け器具の上面図、５はシャワー本体を壁面等に固定するための受け器具の側面図、側面から見れば２が５に挿入され固定される。
【符号の説明】
【０００９】
１  シャワー本体
２  シャワー本体下部の溝を設けた部分
３  シャワー本体下部の溝を設けた部分の断面図
４  シャワー本体を壁面等に固定するための受け器具の上面図
５  シャワー本体を壁面等に固定するための受け器具の側面図
【図１】
0003116134.tif 000003
【手続補正書】
【提出日】平成16年7月20日(2004.7.20)
【手続補正１】
【補正対象書類名】実用新案登録請求の範囲
【補正対象項目名】全文
【補正方法】変更
【補正の内容】
【実用新案登録請求の範囲】
【請求項１】
シャワーの本体とシャワー受け器具部分に溝を設ける。或はシャワーの本体とシャワー受け器具部分を多角形にする。或はシャワーの本体とシャワー受け器具部分を楕円にする。そうすることによって強水量により水圧が上がった時等にシャワー本体が回転する。或は方向を変えることの防止、を特徴とするシャワー本体とシャワー受け器具。
【手続補正２】
【補正対象書類名】明細書
【補正対象項目名】全文
【補正方法】変更
【補正の内容】
【考案の詳細な説明】
【技術分野】
【０００１】
本考案は、シャワー本体及びシャワー本体の受け器具にシャワー本体の回転を防止するため、溝を設ける、或は多角形にする、或は楕円にすることによりシャワー本体の回転を防止、または方向を変えることの防止に関するものである。
【背景技術】
【０００２】
シャワーの本体は強水量になると、高水圧によってシャワー本体の方向が変わる。或いは回転する状態が生じるものであった。
【考案の開示】
【考案が解決しようとする課題】
【０００３】
強水量でシャワーを使用しても、水の出る方向が予め指定した方向の状態を保つことを課題とするシャワーの本体及びシャワー本体の受け器具に関する。
【課題を解決するための手段】
【０００４】
本考案は、シャワーの本体部分とシャワーの本体の受け器具に溝を設ける、或はシャワーの本体部分とシャワーの本体の受け器具を多角形にする、或は楕円にする、ことにより、シャワー本体の方向が変わる、又は回転することが防止されることで問題点を解決している。
【考案の効果】
【０００５】
上述の様に、本考案は強水量時等にシャワーの方向がかわる、或いは回転する状態を防ぐことにより、両手を使用中のシャンプー時等のような場合に、急な水圧変化によってシャワーの本体が急に向きを変えることがない。
【考案を実施するための最良の形態】
【０００６】
シャワーの本体は自由自在に向きを変えられるため、予め自分の希望位置に向きを固定して使用。
【実施例】
【０００７】
以下、添付図面に従って実施例を説明する。図１のシャワー本体下部２に溝（断面図３様の溝）を設け、またシャワー本体の受け器具４（上面図）にも溝を設け、３の外径と４の内径が一致することで、シャワー本体は固定され、また、溝を設けることにより、シャワー本体の向きがかわる、又はシャワー本体の回転が防止される。
【図面の簡単な説明】
【０００８】
【図１】１はシャワー本体、２はシャワー下部の溝を設けた部分。３は２のシャワー下部の溝を設けた部分の断面図、４はシャワー本体を壁面等に固定するための受け器具の上面図、５はシャワー本体を壁面等に固定するための受け器具の側面図、２が５に挿入され固定される。また、２のシャワー下部の上部と下部の直径は上部を下部より少し大きく、下部を上部より少し小さくすることで適当なところでシャワー本体が止まるようにする。また、シャワー受け器具もそれに合うようにする。
【図２】６はシャワー本体、７はシャワー下部の多角形にした部分、８は７のシャワー下部の多角形にした部分の断面図、９はシャワー本体を壁面等に固定するための多角形の受け器具の上面図、１０はシャワー本体を壁面等に固定するための多角形の受け器具の側面図、７が１０に挿入され固定される。また、７のシャワー下部の上部と下部の直径は上部を下部より少し大きく、下部を上部より少し小さくすることで適当なところでシャワー本体が止まるようにする。また、シャワー受け器具もそれに合うようにする。
【符号の説明】
【０００９】
１  シャワー本体
２  シャワー本体下部の溝を設けた部分
３  シャワー本体下部の溝を設けた部分の断面図
４  シャワー本体を壁面等に固定するための受け器具の上面図
５  シャワー本体を壁面等に固定するための受け器具の側面図
６  シャワー本体
７  シャワー本体下部の多角形にした部分
８  シャワー本体下部の多角形にした部分の断面図
９  シャワー本体を壁面等に固定するための受け器具の上面図
１０  シャワー本体を壁面等に固定するための受け器具の側面図
【手続補正３】
【補正対象書類名】図面
【補正対象項目名】全図
【補正方法】変更
【補正の内容】
【図１】
0003116134.tif 000004
【図２】
0003116134.tif 000005
【手続補正書】
【提出日】平成16年12月27日(2004.12.27)
【手続補正１】
【補正対象書類名】実用新案登録請求の範囲
【補正対象項目名】全文
【補正方法】変更
【補正の内容】
【実用新案登録請求の範囲】
【請求項１】
シャワーの本体とシャワー受け器具部分において、（１）溝を設ける。（２）多角形にする。以上からなるシャワーの本体とシャワーの受け器具。
【手続補正２】
【補正対象書類名】明細書
【補正対象項目名】全文
【補正方法】変更
【補正の内容】
【考案の詳細な説明】
【技術分野】
【０００１】
本考案は、シャワー本体とシャワー本体の受け器具に溝を設ける、或は多角形にすることに関するものである。
【背景技術】
【０００２】
シャワーの本体から出る水量が多水量になるとその水圧によりシャワー本体とその壁面固定器具の間でずれが生じ、シャワー本体の方向が変わる。或いは回転状態が生じ、水の出る方向が予め指定した方向の状態を保つことができなかった。
【考案の開示】
【考案が解決しようとする課題】
【０００３】
多水量時でシャワーを使用しても、水の出る方向が一定方向を保つことを課題とする。
【課題を解決するための手段】
【０００４】
本考案は、シャワーの本体部分とシャワーの本体の受け器具に溝を設ける、或は多角形にすることにより、シャワー本体の方向が変わる、又は回転を防止することで問題点を解決している。
【考案の効果】
【０００５】
本考案は多水量時の水圧でシャワーの方向がかわる、或いは回転する状態を防ぐことにより、両手を使用中のシャンプー時のような場合、急な水圧変化によってシャワーの本体が急に向きを変えることがない。
【考案を実施するための最良の形態】
【０００６】
シャワーの本体は自由自在に向きを変えられるため、予め自分の希望位置に向きを固定して使用。
【実施例】
【０００７】
以下、添付図面に従って実施例を説明する。図１のシャワー本体下部２に溝（断面図３様の溝）を設け、またシャワー本体の受け器具４（上面図）にも溝を設け、３の外径と４の内径が一致することでシャワー本体は固定され、溝を設けることでシャワー本体の向きがかわる又はシャワー本体の回転が防止される。
【図面の簡単な説明】
【０００８】
図２のシャワー本体下部７を多角形（断面図８様）にする。またシャワー本体の受け器具９（上面図）を多角形にし、８の外形と９の内径が一致することでシャワー本体は固定され、多角形にすることでシャワー本体の向きがかわる又はシャワー本体の回転が防止される。
【０００９】
【図１】１はシャワー本体、２はシャワー下部の溝を設けた部分。３は２のシャワー下部の溝を設けた部分の断面図、４はシャワー本体を壁面等に固定するための受け器具の上面図、５はシャワー本体を壁面等に固定するための受け器具の側面図、２が５に挿入し固定する。
【図２】６はシャワー本体、７はシャワー下部の多角形にした部分、８は７のシャワー下部の多角形にした部分の断面図、９はシャワー本体を壁面等に固定するための多角形の受け器具の上面図、１０はシャワー本体を壁面等に固定するための多角形の受け器具の側面図、７が１０に挿入し固定する。
【符号の説明】
【００１０】
１  シャワー本体
２  シャワー本体下部の溝を設けた部分
３  シャワー本体下部の溝を設けた部分の断面図
４  シャワー本体を壁面等に固定するための受け器具の上面図
５  シャワー本体を壁面等に固定するための受け器具の側面図
６  シャワー本体
７  シャワー本体下部の多角形にした部分
８  シャワー本体下部の多角形にした部分の断面図
９  シャワー本体を壁面等に固定するための受け器具の上面図
１０  シャワー本体を壁面等に固定するための受け器具の側面図
【手続補正３】
【補正対象書類名】図面
【補正対象項目名】全図
【補正方法】変更
【補正の内容】
【図１】
0003116134.tif 000006
【図２】
0003116134.tif 000007